(57)【要約】【課題】年老いて歩くのが不自由になった人、足の悪い人の歩行が少しでも楽になるように、又、スポーツ競技においては、記録の更新が望める靴である。【解決手段】靴１の底の部分に靴底３、靴底４、４′を取り付けることによって解決する。【選択図】図５
2011056223.tif 000002
【特許請求の範囲】
【請求項１】
靴１の底の部分に２に、靴底３を取り付ける。この時点においてひとつの完成された靴となり、歩くことも走ることもできる完成された靴になる。
【請求項２】
靴１と靴底２の部分に３を取り付けた靴に、図５のＡを起点として４  ４′を起点Ａの前後に取り付ける。Ａの場所１カ所を持って鋭角に曲がる靴底をもつ靴である。
【請求項３】
図５の７と８は、石や木などの障害物がはさまらないように曲線使用にし、４  ４′の上部より下部（地面に近いほう）の方を広く取る靴底をもつ靴である。
【発明の詳細な説明】
【技術分野】
【０００１】本発明は、靴底に異なった厚さの靴底を重ねることにより、福祉やスポーツにおける機能を高める靴である。
【背景技術】
【０００２】近年靴底は、足あるいは足首を保護する為に靴底を厚くする傾向にあり、ほとんどの靴がそれに該当する。その為、靴底に抵抗がかかり靴底の曲がりが悪くなり、靴底と足のかかとの部分に隙間が出来歩きぬくい状態をつくり出している。
又、足と靴を曲がりやすくする為、靴底全体に溝を造り、曲げやすくする構造になっているものも知られている。
曲がりやすく履きやすい構造の靴の追及はされ、溝の高さ深さあるいは素材の記載、使用する部品の記載はあるが、溝の場所使う部品の場所は、特定されておらず、図面による漠然たる場所であったり、又は、つま先、土踏まず、踵の部分で等の説明だけで漠然とした設定位置が示されていて決定されていない。【０００３】例えば、特開平１０−２９５４０４号には、靴底に横溝１１，１２，１３，１４，１５、が足を屈曲し易くする為に５カ所造られている。
特開２０００−１８９２０５号は溝が２か所、
しかし曲がる場所は、つまさき、土踏まず踵の三カ所とあり漠然とした場所の設定となっている。
特開平８−１１７００１号は、靴底に部材を設けたもので、場所の指定は土踏まずの中間部分の底、漠然としている。【０００４】  靴底に横溝２つ以上取り付けた物や靴底に部材を取り付けた構造の物も知られてる。
【発明の開示】
【発明が解決しようとする課題】
【０００５】前記した従来の構造の靴では、靴底と足のかかとの部分に隙間が出来歩きぬくい。横溝を数造ることは曲げやすくしようとするものであって、曲がるものではない。設置場所も漠然としていて図面を持って判断するものでわかりにくい欠点がある。つま先、土踏まず、踵の境、どこからどこまでがつま先なのか、どこからどこまでが土踏まずなのか、どこからどこまでが踵なのか明確なる判断はできない、これを持って場所の指定がなされている。又、部品を使用しているものもあるが本考案には必要ない、これらが本考案の解決課題である。
【課題を解決する為の手段】
【０００６】本発明は、図６の９の線と図６の１０の線の交わる部分（つま先立ちした時の曲がる部分）をＡとしこの後Ａは前記部分を表わす。
靴底４、４′の取り付け場所は、Ａを起点にして前後に２ｍｍ以上離す、図５の７と８の部分は、図のように全体に丸みを付ける、丸みを付ける事によって石などものがはさまらないようにする、その解決策として４  ４′の取り付けた上部の隙間より下部（地面に近いほう）の方の隙間を広くとる。又、４、４′の厚さは５ｍｍ以上とする。
【０００７】図２の３は厚さ６ｍｍ以下とし、可能な限り薄くして用いるものである、図１の１の靴と図２の３を２に取り付けて一体化させる、この時点で一体化された靴は、ひとつの独立した靴としての機能形態を備える、よって歩くことも走ることもできる靴となる。これに別個独立した２つの（４、４′）の靴底を取り付ける、この別個独立した靴に別個独立した靴底（４、４′）取り付ける事により、１か所だけの溝の設定で今までに考えられなかった機能、形態（つま先の曲がりやすさ、歩きやすさ、履きやすさ）を持ったまったく新しい靴が完成した。
【０００８】本考案は、靴底の曲がる場所の起点をＡとピンポイントに計算された場所に指定設定し、つま先の１か所Ａを起点にして靴を鋭角に曲げて履くことのできる優れ物であり、つま先全部を使用するものではなくつま先の一部を利用する考案である、又、土踏まず及びかかとは、本考案そのものには必要のないもので、他の靴の追随はゆるさない。
【発明の効果】
【０００９】靴底４、４′の間に隙間を付ける事によって靴底３の柔らかな部分を利用してＡを起点として靴底に角度をつけて、図５のように曲げることが出来歩きやすくなる。
【発明を実施する為の最良の形態】
【００１０】以下、本発明の実施の形態を、図面に基づき説明する。
【００１１】図１は、本考案の本体部分で図２図３は厚さの違う靴底である。図４は図１の１の靴と、図２の３靴底を取り付けたものである。図５は本考案の完成図、靴１に３、４、４′の靴底を取り付け完成させたものである。図６は本考案の起点となる場所Ａとそれをわかりやすく表わす為の線９と１０である。
【００１２】図５で示すように靴１の底の部分２に靴底３を、靴底３の部分に靴底４、４′を取り付けることに事によって、Ａの部分を起点にして上下に折曲がるほど曲げることのできる形態の考案である。
【実施例】
【０００１３】本考案は、私の経験がこのアイデアーにつながった物で、私の経験が実施例である。
本考案者の自宅はトタンぶきの屋根でできている、数年に一度屋根のトタンを塗りなおさなければならない。夏の暑い日ざかり屋根の温度は数十度にも上がる、その数十度に上がった屋根の上で数時間の作業をしたあと、屋根から下りてきてふと不思議な感覚をおぼえた、靴を履いていない、言葉には表わせないぐらいの衝撃のあるものであった。その原因のもとが本考案である。
底の厚い靴（スニーカー）を履いていたのにもかかわらず靴底のつま先の部分（本考案の説明上の起点Ａ）がつま先に対し真横に左から右へ一直線に切れていた、その結果まったく靴を履いている感覚は無く足が軽く感じて、素足で歩いている感覚、不思議な感覚であった、本考案の靴はこのことをそのまま考案にしたものであって、上記そのものが本考案の実施例である。この靴なら非常に歩きやすく靴底と足の平の部分が一体化して靴と足のひらとの隙間が出来なくなり歩きやすい、当然上記で述べたように本考案は、Ａの部分一か所だけが曲がればよく、数か所の横溝は必要ないし、部品などを使う必要はまったくない。
さらに、世界陸上の短距離走において各選手がつま先だけで走っていた、歩く又は走る為に最も必要な部分はつま先が重要で、土踏まずおよびかかとは補助的役目しかしておらず、つま先を重要視した本考案の正しさが証明された。
【産業上の利用の可能性】
【００１４】本発明は、年老いて歩く事が不自由な人、足の悪い人が少しでも歩きやすくなるように福祉の分野で、又、靴底Ａの部分で上下に曲がる事により足に負担がかからなくなり、陸上競技等スポーツ競技にも使用でき記録更新が可能である。本発明は、このように広い範囲の分野で使用することが出来、産業上の利用価値も高いものである。
【図面の簡単な説明】
【００１５】
【図１】本発明の基本となる靴の側面図である。
【図２】本発明の靴底３である。
【図３】本発明の靴底４、４′である。
【図４】本発明の基本となる靴１に靴底３を取り付けたものである。
【図５】本発明の［図１］の１の靴、［図２］の靴底３、［図３］の靴底４  ４′取り付けて本発明を完成させたものである。説明しやすくする為、折り曲げた状態になっている。
【図６】起点Ａをわかりやすくする為の線９と１０である。
【符号の説明】
【００１６】１、  本考案の基本となる靴本体である。
２、  １の靴の底の部分である。
３、  本発明の靴底である
４、  本発明の靴底である。
４′  本発明の靴底である。
７、  石などがはさまらないように、丸くした靴底の一部である。
８、  石などがはさまらないように、丸くした靴底の一部である。
９、  起点Ａをわかりやすくする為の線である。
１０、起点Ａをわかりやすくする為の線である。
Ａ、  本考案の靴底の曲がる部分の起点を表わす。
【図１】
2011056223.tif 000003
【図２】
2011056223.tif 000004
【図３】
2011056223.tif 000005
【図４】
2011056223.tif 000006
【図５】
2011056223.tif 000007
【図６】
2011056223.tif 000008
【手続補正書】
【提出日】平成21年11月18日(2009.11.18)
【手続補正１】
【補正対象書類名】明細書
【補正対象項目名】０００２
【補正方法】変更
【補正の内容】
【０００２】近年靴底は、足あるいは足底を保護する為に靴底を厚くする傾向にあり、ほとんどの靴がそれに該当する。その為、靴底に抵抗がかかり、靴底の曲がりが悪くなり、靴底と足のかかとの部分に隙間が出来歩きぬくい状態をつくり出している。
又、足と靴を曲がりやすくする為、靴底全体に溝を造り、曲がりやすくする構造になっているものも知られている。靴は曲がりやすく履きやすい構造が追及されその結果、靴に溝を付け溝の高さ深さあるいその為の素材が考え出された、しかしこれらの物には使用する部分の記載はあるが、溝の場所使う部品の場所は特定されておらず、図面による漠然たる場所であり、又は、つま先、土踏まず、踵の部分で等の説明だけで漠然とした設定位置が示されているだけで決定されていない。
又、全ての靴に言える事だが、今まで靴底が半円形に曲がる事が歩きやすくする条件だと考えられてきた、本考案の図６を見ればわかるように足裏の構造はつま先を起点として、鋭角に曲がるものであり、半円形の部分はまったく見ることはできない、靴底は半円形に曲が物だとする考えが、靴の歩きぬくさを生みだしていた。
【手続補正２】
【補正対象書類名】明細書
【補正対象項目名】０００９
【補正方法】変更
【補正の内容】
【０００９】靴底３に、靴底４、４｀を、隙間を付けて取り付けＡを起点として靴底に角度を付けて、図５のように曲げることが出来歩きやすくなる。又、本発明においてその発明に属する技術分野における通常の知識を有する者が容易に発明することが出来る物だと考えられがちであるが、本考案の図５と図６を見ればわかるように足裏が半円形になる場所はなく、半円形になる靴底は無意味である、これは、靴底は丸くなければならないとする、靴製造における既成概念の代物であると考えられる、この考えが浸透している現在に置いて通常知識はもちろん、専門知識持っていれば、なおさら本考案は考え付かないものである、言うならばコロンブスのタマゴである、本考案はそれらの考えを根本的に打破するものである。その打開策が上記靴底４、４｀の発明である、この発明によって前に進もうとする推進力が高められ、靴底と足の踵の部分の隙間は無くなり、又、本考案は起点Ａを軸にして１か所でまがる構造になっており、靴底全体に溝を付けたり部品を使う必要もない。本考案はこのような機能構造であり足にやさしい靴である。